(57)【要約】【課題】            段ボール箱等の閉じ蓋体を中央で開いた場合は、両側に向かって蓋体を切り開いて行かなければならないから、切り開く力が二倍かかることになり、なかなか困難である。また、開封切取部を取り除くと、この取り除いた部分が開口部となり、再度、箱を利用する際には、開口部から箱内部にホコリ等の異物が入り、食品類等の内容物の保存状態を悪化させる問題があった。【解決手段】        閉蓋状態で蓋体９，１２の開閉縁辺部３ａ，３ｂを開口部を形成する側パネル５，６上に閉蓋手段３４により固定するようになした包装用箱１０において、前記開閉縁辺部３ａの角端部に、複数の切込からなる切断線２９によって切り取り可能な開封切取部２８を設けてなる包装用箱。【選択図】          図１
2005231631.tif 000002
【特許請求の範囲】
【請求項１】
閉蓋状態で蓋体の開閉縁辺部を箱体開口部に閉蓋手段により固定するようになした包装用箱において、前記開閉縁辺部の角端部に、複数の切込からなる切断線によって切り取り可能な開封切取部を設けてなる包装用箱。
【請求項２】
請求項１に記載の包装用箱において、前記開閉縁辺部を、前記側パネルの上端部に互いに対面して設け、閉蓋状態で該開閉縁辺部の先端部が互いに当接するようになした包装用箱。
【請求項３】
請求項１に記載の包装用箱において、前記開閉縁辺部を、前記側パネルの上端部に互いに対面して設け、開封切取部を設けてある前記開閉縁辺部の先端部が、閉蓋状態で他の開閉縁辺部の上に重なるようになした包装用箱。
【請求項４】
請求項１乃至３のいずれかに記載の包装用箱において、前記側パネルに内蓋を設け、閉蓋状態で該内蓋の上に前記開閉縁辺部の開封切取部が重なるようになした包装用箱。
【請求項５】
請求項１乃至４のいずれかに記載の包装用箱において、前記開封切取部の角部の形状が曲線である包装用箱。
【請求項６】
請求項１乃至５のいずれかに記載の包装用箱において、前記閉蓋手段がテープ、接着糊又はステイプル等のいずれかからなる包装用箱。
【請求項７】
請求項１乃至６のいずれかに記載の包装用箱において、前記開封切取部が閉蓋手段を含んで設けてある包装用箱。
【請求項８】
請求項７に記載の包装用箱において、前記開封切取部が閉蓋手段を蓋体に残して切取可能に設けてある包装用箱。
【請求項９】
請求項１乃至８に記載の包装用箱において、前記開封切取部の側部に切欠孔部を設けてなる包装用箱。
【請求項１０】
請求項１乃至９に記載の包装用箱において、前記開封切取部の側部に開封把持部を設けてなる包装用箱。
【発明の詳細な説明】
【技術分野】
【０００１】
本発明は、包装用箱に関する。
【背景技術】
【０００２】
従来、ダンボール箱のように、容器本体の開口部の対向する辺に一対の蓋体を連設し、当該蓋体を互いに当接してテープ等で当接部を被覆して蓋体を閉鎖するようになした包装容器において、前記当接部の被覆後に前記一対の蓋体を中央部から開封可能にするため、前記蓋体の中央部に開封切取部を設けてなる包装容器は知られている（例えば、特許文献１参照。）。
【０００３】
【特許文献１】特許第３２０００４０号公報
【発明の開示】
【発明が解決しようとする課題】
【０００４】
しかし、蓋体の中央部に本来的に蓋体の一部として設けた開封切取部は開封することが困難な状態であるから、容易に切り取ることができるように相当に脆弱な切込を蓋体に施して設けた開封切取部である必要があり、前記従来例では、親指を容易に押し込んで切取フラップを形成することができる親指フラップと、中間フラップと最終フラップに分けて開封切取部を設けることによって、蓋体としての強度と、開封容易性とを両立させている。
【０００５】
しかし、中央で開いた場合は、両側に向かって蓋体を切り開いて行かなければならないから、切り開く力が二倍かかることになり、なかなか困難である。また、開封切取部を取り除くと、この取り除いた部分が開口部となり、再度、箱を利用した際には、この蓋体に開いた開口部から箱内部にホコリ等の異物、及び太陽、照明等の光が入り、食品類等の内容物の保存状態を悪化させる問題があり、一度、使用した箱を再利用することには難があった。
また、蓋体の中央部に設けてある開封切取を取り除いてから、蓋体の中央部から両端側に二方向に向かって蓋を開けていく開封作業を行うため開封作業に労力がかかる課題があった。
【課題を解決するための手段】
【０００６】
そこで、本発明は、請求項１に記載のように、閉蓋状態で蓋体の開閉縁辺部を箱体開口部に閉蓋手段により固定するようになした包装用箱において、前記開閉縁辺部の角端部に、複数の切込からなる切断線によって切り取り可能な開封切取部を設けてなる包装用箱を提供するものである。
また、本発明は、請求項２に記載のように、請求項１に記載の包装用箱において、前記開閉縁辺部を、前記側パネルの上端部に互いに対面して設け、閉蓋状態で該開閉縁辺部の先端部が互いに当接するようになした包装用箱を提供するものである。
【０００７】
また、本発明は、請求項３に記載のように、請求項１に記載の包装用箱において、前記開閉縁辺部を、前記側パネルの上端部に互いに対面して設け、開封切取部を設けてある前記開閉縁辺部の先端部が、閉蓋状態で他の開閉縁辺部の上に重なるようになした包装用箱を提供するものである。
また、本発明は、請求項４に記載のように、請求項１乃至３のいずれかに記載の包装用箱において、前記側パネルに内蓋を設け、閉蓋状態で該内蓋の上に前記開閉縁辺部の開封切取部が重なるようになした包装用箱を提供するものである。
【０００８】
また、本発明は、請求項５に記載のように、請求項１乃至４のいずれかに記載の包装用箱において、前記開封切取部の角部の形状が曲線である包装用箱を提供するものである。
また、本発明は、請求項６に記載のように、請求項１乃至５のいずれかに記載の包装用箱において、前記閉蓋手段がテープ、接着糊又はステイプル等のいずれかからなる包装用箱を提供するものである。
【０００９】
また、本発明は、請求項７に記載のように、請求項１乃至６のいずれかに記載の包装用箱において、前記開封切取部が閉蓋手段を含んで設けてある包装用箱を提供するものである。
また、本発明は、請求項８に記載のように、請求項７に記載の包装用箱において、前記開封切取部が閉蓋手段を蓋体に残して切取可能に設けてある包装用箱を提供するものである。
また、本発明は、請求項９に記載のように、請求項１乃至８に記載の包装用箱において、前記開封切取部の側部に切欠孔部を設けてなる包装用箱を提供するものである。
また、本発明は、請求項１０に記載のように、請求項１乃至９に記載の包装用箱において、前記開封切取部の側部に開封把持部を設けてなる包装用箱を提供するものである。
また、本発明は、紙製の箱に限定されるものではなく、プラスチック製箱等、種々の材質の箱について実施することができるものである。
【発明の効果】
【００１０】
本発明に係る包装用箱によれば、請求項１に記載のように、閉蓋状態で蓋体の開閉縁辺部を箱体開口部に閉蓋手段により固定するようになした包装用箱において、前記開閉縁辺部の角端部に、複数の切込からなる切断線によって切り取り可能な開封切取部を設けてなる構成を有することにより、蓋体の開封切取部の角端部に開封取付部を設けたことによって蓋体の強度を弱めることがないと共に、開封切取部を複数の切込からなる切断線に沿って手などで簡単に開封することができるから、開封作業時にカッター、ハサミ等の開封用道具によって内容物を傷つける恐れがなくなり、安全に開封作業を行うことができると共に、従来の開閉縁辺部の中央部から両端側に向かって閉じた蓋を開いていた場合と比べ、開閉縁辺部の角端側から他端側に向かって一方向に蓋を開いていくことができるから、開封作業に必要な力を半分に低減することができ、容易且つ迅速に開封することができる効果がある。
【００１１】
また、本発明は、請求項２に記載のように、請求項１に記載の包装用箱において、前記開閉縁辺部を、前記側パネルの上端部に互いに対面して設け、閉蓋状態で該開閉縁辺部の先端部が互いに当接するようになした構成を有することにより、閉蓋状態で開封切取部が必ず蓋体表面に現れるから、閉蓋作業が自由にできる効果があり、開封時には、開封切取部を除去してできる開口部に手を入れて、開閉縁辺部の先端部を掴んで開封作業を行うことができるから、容易且つ迅速に開蓋することができる効果がある。
【００１２】
また、本発明は、請求項３に記載のように、請求項１に記載の包装用箱において、前記開閉縁辺部を、前記側パネルの上端部に互いに対面して設け、開封切取部を設けてある前記開閉縁辺部の先端部が、閉蓋状態で他の開閉縁辺部の上に重なるようになした構成を有することにより、再使用したときに開封切取部を除去してできる開口部を他の開閉縁辺部で下方から塞ぐことができ、この開口部から箱内部にホコリ等の異物が混入することを防止できる効果があると共に、太陽、照明等の光を遮光することもできる効果があり、一度、開封した箱を再び箱として安心して利用することができる効果がある。
【００１３】
また、本発明は、請求項４に記載のように、請求項１乃至３のいずれかに記載の包装用箱において、前記側パネルに内蓋を設け、閉蓋状態で該内蓋の上に前記開閉縁辺部の開封切取部が重なるようになした構成を有することにより、開封切取部を除去してできる開口部を内蓋で下方から塞ぐことができ、この開口部から箱内部にホコリ等の異物が混入することを防止できると共に、太陽、照明等の光を遮光することもできるから、一度、開封した箱を再び箱として利用することができる効果がある。
【００１４】
また、本発明は、請求項５に記載のように、請求項１乃至４のいずれかに記載の包装用箱において、前記開封切取部の角部の形状が曲線である構成を有することにより、開閉縁辺部の角端部に設けた曲線形状の開封切取部を手を傷つけることなく安心して開封することができ、開閉縁辺部の角部で指先を傷める等の危険性を回避できる効果がある。
【００１５】
また、本発明は、請求項６に記載のように、請求項１乃至５のいずれかに記載の包装用箱において、前記閉蓋手段が接着テープ、接着糊又はステイプル等のいずれかからなる構成を有することにより、開封切取部を施した開閉縁辺部を容易且つ迅速な閉蓋手段により閉じることができると共に、容易に開封切取部を利用して開蓋作業を行うことができる。
【００１６】
また、本発明は、請求項７に記載のように、請求項１乃至６のいずれかに記載の包装用箱において、前記開封切取部が閉蓋手段を含んで設けてある構成を有することにより、開封切取部を切り取ると同時に閉蓋手段を含んで除去することができるから、開蓋作業を容易に迅速にする効果がある。
【００１７】
また、本発明は、請求項８に記載のように、請求項７に記載の包装用箱において、前記開封切取部が閉蓋手段を蓋体に残して切取可能に設けてある構成を有することにより、開封切取部を切り取るだけで閉蓋手段をそのまま残して蓋体を容易に迅速に開蓋することができる効果がある。
【００１８】
また、本発明は、請求項９に記載のように、請求項１乃至８に記載の包装用箱において、前記開封切取部の側部に切欠孔部を設けてなる構成を有することにより、切欠孔部から指等を入れて開封切取部を容易に把持して開放することができる効果がある。
【００１９】
また、本発明は、請求項１０に記載のように、請求項１乃至９に記載の包装用箱において、前記開封切取部の側部に開封把持部を設けてなる構成を有するから、開封把持部により容易に開封切取部を切り取り、把持して開蓋することができる効果がある。
【発明を実施するための最良の形態】
【００２０】
以下図示する実施例により、本発明に係る包装用箱の実施の形態を説明する。
図１乃至図９に記載の実施例の場合、１０は、本発明に係る包装用箱であり、基本的には図１０に示すような１枚の展開シート１から組み立てることができる。
図１０に記載の実施例では、展開シート１の中央部に位置して包装用箱１０の４つの側面を形成する側パネル４、５、６、７を連設してあり、包装用箱１０を組み立てる際には、側パネル４、５、６、７を図１０に破線で示した折り代２０、２１、２２、２３に沿って折り、側パネル４の左端部に設けた接合部８に、テープ、接着糊又はステイプル等の固定手段を用いて、側パネル７の右端部の内側又は外側を固着するように構成してある。
【００２１】
また、図１０に記載の実施例の場合、側パネル４、５、６、７の下辺には、包装用箱１０の底体２を構成する底パネル１４、１５、１６、１７を連設してあり、包装用箱１０を組み立てる際に、底パネル１４、１５、１６、１７を図１０に破線で示した折り代３０、３１、３２、３３に沿って、底パネル１４、１６が底パネル１５、１７の内側になるように折り、テープ、接着糊又はステイプル等の固定手段を用いて包装用箱１０の底面を成形し、図７に示すように、蓋体３が開蓋状態の箱体３７を形成するようにしてある。
【００２２】
一方、側パネル４、５、６、７の上辺には、包装用箱１０の蓋体９、１２及びその内蓋１１、１３を連設してあり、これらを図１０に破線で示した折り代２４、２５、２６、２７に沿って折り、互いに当接させた蓋体９、１２の開閉縁辺部３ａ，３ｂを、テープ、接着糊又はステイプル等の閉蓋手段により固定し、蓋体を閉蓋状態にすることができる。
なお、閉蓋手段は、図１、図８、図９、図１１又は図１２に記載するテープ３４、図４乃至図６に記載する接着糊３５、図２又は図３に記載するのステイプル３６等がある。
【００２３】
図１、図２又は図６に記載の実施例の場合、蓋体１２の一角端部に、複数の切込からなる切断線２９に沿って切断して開封可能な開封切取部２８を設けてあり、切断線２９に沿って手などで開封切取部２８を手などで取り外し、蓋体１２に開口部を設けることができ、次いで、前記開口部に手を入れて蓋体９、１２の一方又は両方を把持して上方に持ち上げ、蓋体９、１２の開閉縁辺部３ａ，３ｂの角端側から他端側に向かって一方向に、徐々に前記閉蓋手段を破断して蓋体９，１２を円滑に開封することができる。
【００２４】
また、図１又は図２に記載の実施例の場合、閉蓋手段であるテープ３４、接着糊塗布部３５、ステイプル３６の一部又は全部が開封切取部２８に含まれているから、開封切取部２８を取り外すと共に前記閉蓋手段の一部を破断することができ、開封作業を容易且つ迅速に行うことができる。
また、図３又は図４に記載の実施例の場合は、開閉縁辺部３ａ，３ｂの両端部に設けた接着糊塗布部３５、ステイプル３６の閉蓋手段の全部が開封切取部２８に含まれているから、切断線２９に沿って開封切取部２８を取り外すと、図５に記載のように、切断線２９が切断部２９ａ，２９ｂに分割して、内蓋１１，１３側に閉蓋手段と共に開封切取部２８を残して、蓋体９，１２を簡単に開放することができ、開封作業を容易且つ迅速に行うことができる。
【００２５】
また、図１乃至図７に記載のように、切断線２９を曲線的にして、開封切取部２８の形状を扇形にすることも、図８に記載のように、切断線２９を直線的にして、開封切取部２８の形状を長方形にすることも適宜に設計変更して形成することもできる。
また、上記の実施例において、開封切取部２８の角端部の形状を円弧状、波形状等の曲線状に設けて、手で開封切取部２８を取り外す際に、その角部で指先を傷めることなく容易且つ安全に取り外し作業を行えるように構成することができる。
【００２６】
また、図９に記載の実施例の場合、開封切取部２８を設けてある蓋体１２の開封縁辺部３ａが、閉蓋状態で蓋体９の開封片縁部３ｂの上に重なるように構成してあり、開封切取部２８を除去してできる蓋体１２の開口部の一部又は全部を蓋体９で下方から塞ぐことができる。よって、内蓋１１，１３と相まって開口部から箱内部にホコリ等の異物が混入することを防止できると共に、太陽、照明等の光を遮光することもでき、一度、開封した箱を再び箱として利用することも可能である。
【００２７】
図１１に記載の実施例の場合、開封切取部２８の先端部を切欠して切欠孔３８を形成してあり、この切欠孔から指等を入れて開封切取部２８を容易に把持して開封することができるように構成してある。切欠孔３８は初めから設けておくこともできるが、例えば、図８に記載の開封切取部２８の中間に切取線２９を施して先端部を切取可能に構成し、開封時に先ず先端部を切り取って切欠孔３８を成形してから、残りの開封切取部２８を持って開封するように構成することもができる。
【００２８】
また、図１２及び図１３に記載の実施例の場合、開封切取部２８に更に開封把持部３９を設けて、図１２のように、箱体組立状態では、開封把持部３９を側パネル５に沿って折り畳んでおき、使用時に、開封把持部３９を持って開封切取部２８を切取線２９に沿って切り取ることができるように構成してある。
また、開封把持部３９は図１３の展開図に示すように、隣り合う内蓋１１の一部を切り取る形で構成することも、図１２に記載のように蓋体１２を内蓋１１より大きく長く構成して内蓋１１の外方に位置して開封把持部３９を設けることも可能である。
【００２９】
なお、図１１乃至図１３に記載の実施例において、開封切取部２８は、蓋体１２の開封縁辺部３ａの角端部に限定して設けなければならないものではなく、図では示してない開封縁辺部３ａの他の角端部、その他の蓋体１３の開封縁辺部３ｂの両角端部を初め、底蓋となる底パネル１５、１７等の角端部に設けたものも本発明の技術的範囲に含まれることは勿論である。
【図面の簡単な説明】
【００３０】
【図１】本発明に係る包装用箱の一実施例を示す概略斜視図。
【図２】その他の実施例を示す概略斜視図。
【図３】その他の実施例を示す概略斜視図。
【図４】その他の実施例を示す概略斜視図。
【図５】その実施例の使用態様を示す概略斜視図。
【図６】その他の実施例を示す概略斜視図。
【図７】その実施例の他の使用態様を示す概略斜視図。
【図８】その他の実施例を示す概略斜視図。
【００３１】
【図９】その他の実施例を示す概略斜視図。
【図１０】図１乃至図７の実施例の概略展開図。
【図１１】その他の実施例を示す概略斜視図。
【図１２】その他の実施例を示す概略斜視図。
【図１３】図１２の実施例の要部の概略展開図。
【符号の説明】
【００３２】
１    展開シート
２    底体
３ａ、３ｂ    開閉縁辺部
４    側パネル
５    側パネル
６    側パネル
７    側パネル
８    接合部
９    蓋体
１０  包装用箱
１１  内蓋
１２  蓋体
１３  内蓋
１４  底パネル
１５  底パネル
１６  底パネル
１７  底パネル
１８  切断線
１９  展開シート
２０  折り代
２１  折り代
２２  折り代
２３  折り代
２４  折り代
２５  折り代
２６  折り代
２７  折り代
２８  開封切取部
【００３３】
２９  切断線
２９ａ，２９ｂ  切断部
３０  折り代
３１  折り代
３２  折り代
３３  折り代
３４  テープ
３５  接着糊
３６  ステイプル
３７  箱体
３８  切欠孔
３９  切取把持部  
【図１】
2005231631.tif 000003
【図２】
2005231631.tif 000004
【図３】
2005231631.tif 000005
【図４】
2005231631.tif 000006
【図５】
2005231631.tif 000007
【図６】
2005231631.tif 000008
【図７】
2005231631.tif 000009
【図８】
2005231631.tif 000010
【図９】
2005231631.tif 000011
【図１０】
2005231631.tif 000012
【図１１】
2005231631.tif 000013
【図１２】
2005231631.tif 000014
【図１３】
2005231631.tif 000015